(57)【要約】【課題】  アークホーンを容易に取り替えることができる耐張装置を提供する。【解決手段】  ２連ヨーク１の取付面１ａに、一端縁１ｂから延びる嵌合溝１３が設けられ、アークホーン２の基端側に、２連ヨーク１の一端縁１ｂから嵌合溝１３に嵌合可能な基端部２１が設けられ、嵌合溝１３に基端部２１を嵌合させることで、アークホーン２が２連ヨーク１に仮保持される。【選択図】  図１
2013254571.tif 000002
【特許請求の範囲】
【請求項１】
碍子連の端部に平板状のヨークが接続され、該ヨークの上面および下面の少なくとも一方の取付面に、締結手段によってアークホーンが着脱自在に取り付けられる耐張装置であって、
前記ヨークの取付面に、一端縁から延びる嵌合部が設けられ、
前記アークホーンの基端側に、前記ヨークの一端縁から前記嵌合部に嵌合可能な被嵌合部が設けられ、
前記嵌合部に前記被嵌合部を嵌合させることで、前記アークホーンが前記ヨークに仮保持される、
ことを特徴とする耐張装置。
【発明の詳細な説明】
【技術分野】
【０００１】
この発明は、ヨークにアークホーンが着脱自在に取り付けられる耐張装置に関し、特に、アークホーンの着脱を容易にした耐張装置に関する。
【背景技術】
【０００２】
例えば、送電線の２連耐張装置では、図６に示すように、平板状の２連ヨーク１００に、２つの碍子連１０１が並列に接続され、２連ヨーク１００にアークホーン１０２、１０３がボルト１０４、ナット１０５によって取り付けられている（例えば、特許文献１参照。）。このアークホーン１０２、１０３は、雷による異常電圧で碍子が損傷（フラッシュオーバ）するのを防止する機器であり、劣化や損傷した場合に取り替える必要がある。この場合、１人の作業者が碍子連１０１上に立ち、アークホーン１０２、１０３を一方の片手で支えながら、ボルト１０４、ナット１０５を他方の片手で緩めて、アークホーン１０２、１０３を取り外す。続いて、新たなアークホーン１０２、１０３を一方の片手で支えながら、ボルト１０４、ナット１０５を締結して、アークホーン１０２、１０３を取り付けていた。
【先行技術文献】
【特許文献】
【０００３】
【特許文献１】特開２００３−１３３０２９号公報
【発明の概要】
【発明が解決しようとする課題】
【０００４】
このように、アークホーン１０２、１０３を取り替える際には、１人の作業者が碍子連１０１上に立って不安定な状態で、重いアークホーン１０２、１０３を一方の片手で支えながら、他方の片手でボルト１０４、ナット１０５を取り外したり、締結したりしなければならず、作業が極めて困難であった。このため、作業に高度な熟練と多大な労力とを要するばかりでなく、ボルト１０４、ナット１０５などを落下させるおそれがあった。しかも、上記のように、２連ヨーク１００に主アークホーン１０２と補助アークホーン１０３とが取り付けられている場合には、約１０ｋｇもある２つのアークホーン１０２、１０３を片手で支えながら、ボルト１０４、ナット１０５の取り外しなどを行わなければならず、作業がさらに困難であった。
【０００５】
そこでこの発明は、アークホーンを容易に取り替えることができる耐張装置を提供することを目的とする。
【課題を解決するための手段】
【０００６】
上記課題を解決するために、請求項１に記載の発明は、碍子連の端部に平板状のヨークが接続され、該ヨークの上面および下面の少なくとも一方の取付面に、締結手段によってアークホーンが着脱自在に取り付けられる耐張装置であって、前記ヨークの取付面に、一端縁から延びる嵌合部が設けられ、前記アークホーンの基端側に、前記ヨークの一端縁から前記嵌合部に嵌合可能な被嵌合部が設けられ、前記嵌合部に前記被嵌合部を嵌合させることで、前記アークホーンが前記ヨークに仮保持される、ことを特徴とする。
【０００７】
この発明によれば、ヨークの一端縁から嵌合部に被嵌合部を嵌合させることで、アークホーンがヨークに仮保持され、この状態で締結手段を締結することで、アークホーンがヨークに取り付けられる（固定される。）。また、締結手段による締結を解除すると、アークホーンがヨークに仮保持された状態となり、嵌合部と被嵌合部との嵌合を解除すると、アークホーンがヨークから取り外せられる。
【発明の効果】
【０００８】
請求項１の発明によれば、ヨークの嵌合部とアークホーンの被嵌合部とを嵌合させた状態では、アークホーンがヨークに仮保持されるため、アークホーンを手で保持する必要がない。このため、締結手段の締結やその解除を両手で容易かつ安全、迅速に行うことができる。しかも、ヨークにアークホーンを仮保持させるには、嵌合部と被嵌合部とを嵌合させるだけでよく、仮保持を解除する（アークホーンをヨークから取り外す）には、嵌合部と被嵌合部との嵌合を解除すればよい。このように、アークホーンの取り替えを容易かつ安全、迅速に行うことができるものである。
【図面の簡単な説明】
【０００９】
【図１】この発明の実施の形態に係る２連耐張装置における、２連ヨークとアークホーンとの組付状態を示す平面図（ａ）と正面図（ｂ）である。
【図２】図１の２連ヨークを示す平面図（ａ）と正面図（ｂ）である。
【図３】図１のアークホーンを示す平面図（ａ）と正面図（ｂ）である。
【図４】この発明の実施の形態において、２つのアークホーンを取り付ける場合を示す正面図である。
【図５】この発明の実施の形態において、嵌合部と被嵌合部の他の形態を示す正面図である。
【図６】従来の２連耐張装置のアークホーン周辺を示す平面図（ａ）と側面図（ｂ）である。
【発明を実施するための形態】
【００１０】
以下、この発明を図示の実施の形態に基づいて説明する。
【００１１】
図１は、この発明の実施の形態に係る２連耐張装置（耐張装置）における、２連ヨーク（ヨーク）１とアークホーン２との配設状態を示す平面図（ａ）と正面図（ｂ）である。この２連耐張装置は、碍子連の端部に２連ヨーク１が接続され、この２連ヨーク１にアークホーン２が、ボルト３、ナット４によって着脱自在に取り付けられる装置であり、２連ヨーク１に対するアークホーン２の取付構造が従来と異なるため、主としてこの取付構造について、以下に説明する。
【００１２】
２連ヨーク１は、図２に示すように、ホームベース状の平板で、両直角部に碍子連接続孔１１が形成され、この碍子連接続孔１１を介して２つの碍子連が並列に接続されるようになっている。また、中央角部には支持孔１２が形成され、この支持孔１２を介して鉄塔の支持部材または送電線の支持部材が接続されるようになっている。
【００１３】
さらに、２連ヨーク１の下面である取付面１ａには、碍子連側の一端縁１ｂから中央部に向かって延びる嵌合溝（嵌合部）１３が形成されている。この嵌合溝１３は、平面形状が横長の長方形で、２連ヨーク１の厚み方向に彫り込まれた窪み状となっている。また、この嵌合溝１３の両側面１３ａは、取付面１ａから斜め上方に広がるように形成されている。さらに、嵌合溝１３に対向する面内には、２つの第１の締結孔１４が形成され、後述するように、この第１の締結孔１４に締結ボルト（締結手段）３が挿入されるようになっている。
【００１４】
アークホーン２は、図３に示すように、基端部（被嵌合部）２１とホーン本体２２とを備えている。基端部２１は、アークホーン２の基端側、つまり２連ヨーク１への取付側に設けられ、平面形状が横長の長方形で、両側面２１ａは、下面から斜め上方に広がるように形成されている。つまり、嵌合溝１３の内形状（空間形状）と同じ形状に形成され、２連ヨーク１の一端縁１ｂから、図２、３中の矢印Ｄ１方向に挿入・スライドさせることで、基端部２１が嵌合溝１３に嵌合する。そして、このような嵌合状態では、基端部２１の両側面２１ａが嵌合溝１３の両側面１３ａに係止して、アークホーン２が２連ヨーク１に仮保持されるようになっている。一方、嵌合状態から図２、３中の矢印Ｄ２方向に基端部２１をスライドさせる（引き抜く）ことで、基端部２１と嵌合溝１３との嵌合が解除される（アークホーン２が取り外される。）。
【００１５】
また、この基端部２１には、２つの第２の締結孔２３が形成され、基端部２１が嵌合溝１３に嵌合した状態で、第２の締結孔２３が第１の締結孔１４に一致して、締結ボルト３が挿入可能となっている。
【００１６】
ホーン本体２２は、細長い線状体で構成され、この実施の形態では、基端部２１の下面から一旦碍子連側に延び、水平方向に左右に延びて、その両端部が円弧状に形成されている。
【００１７】
次に、このような構成の２連耐張装置における、アークホーン２の取り換え方法について説明する。
【００１８】
まず、図１に示すように、旧アークホーン２が２連ヨーク１に取り付けられている状態で、旧アークホーン２を取り外すには、１人の作業者が碍子連上に立ち、両手でボルト３、ナット（締結手段）４を緩めて外す。このとき、基端部２１が嵌合溝１３に嵌合しているため、旧アークホーン２が２連ヨーク１に仮保持された状態となっている。つまり、作業者が手で保持しなくても、旧アークホーン２が落下しない状態となっている。続いて、矢印Ｄ２方向に旧アークホーン２（基端部２１）をスライドさせると、基端部２１と嵌合溝１３との嵌合が解除され、旧アークホーン２が２連ヨーク１から取り外せられる。
【００１９】
次に、新アークホーン２を取り付けるには、上記のように、２連ヨーク１の一端縁１ｂから矢印Ｄ１方向に基端部２１をスライドさせて、基端部２１を嵌合溝１３に嵌合させる。これにより、アークホーン２が２連ヨーク１に仮保持され、続いて、両手で新たな締結ボルト３を締結孔１４、２３に挿入して、締結ボルト３にナット４を締め付ける。これにより、新アークホーン２が２連ヨーク１に取り付けられる（固定される）ものである。
【００２０】
以上のように、この２連耐張装置によれば、２連ヨーク１の嵌合溝１３にアークホーン２の基端部２１を嵌合させた状態では、アークホーン２が２連ヨーク１に仮保持されるため、アークホーン２を手で保持する必要がない。このため、ボルト３、ナット４の締結やその解除を両手で行うことができ、その結果、ボルト３、ナット４などを落下させることなく、容易かつ安全、迅速に締結作業などを行うことができる。しかも、２連ヨーク１にアークホーン２を仮保持させるには、基端部２１をスライドさせて嵌合溝１３に嵌合させるだけでよく、仮保持を解除する（アークホーン２を２連ヨーク１から取り外す）には、基端部２１を逆方向にスライドさせて嵌合溝１３との嵌合を解除すればよい。このように、ボルト３、ナット４の締結や基端部２１と嵌合溝１３との嵌合などを容易かつ安全、迅速に行える結果、アークホーン２の取り替えを容易かつ安全、迅速に行うことができるものである。
【００２１】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、１つのアークホーン２を２連ヨーク１に取り付ける場合について説明したが、主、補助（副）２つのアークホーンを２連ヨーク１に取り付ける場合にも適用することができる。この場合、例えば、上記のようなアークホーン２を補助アークホーン２とする場合、図４に示すように、２連ヨーク１の上面（取付面）１ｃに、嵌合溝１３と同様な第２の嵌合溝１５を、嵌合溝１３に対向して形成する。一方、主アークホーン５に、基端部２１と同様な第２の基端部５１を設ける。
【００２２】
そして、補助アークホーン２の基端部２１を嵌合溝１３に嵌合させるとともに、主アークホーン５の第２の基端部５１を第２の嵌合溝１５に嵌合させて、基端部２１と２連ヨーク１と第２の基端部５１とを貫通するように締結ボルト３を挿入して、ナット４を締め付けるものである。これに対して、第２の嵌合溝１５を設けずに、上記のような実施の形態において（図１）、２連ヨーク１の上面１ｃに主アークホーンの基端部（取付板部）を重ねて、ボルト３、ナット４で締結するようにしてもよい。
【００２３】
また、上記の実施の形態では、嵌合部である嵌合溝１３が窪み状（凹状）で、被嵌合部である基端部２１が凸状となっているが、凹凸を逆にしてもよい。すなわち、図５に示すように、２連ヨーク１の取付面（下面）１ａから突出するように、上記の基端部２１と同様な嵌合部１６を形成する。一方、アークホーン２の基端部２４に、上記の嵌合溝１３と同等な被嵌合部２５を形成する。そして、嵌合部１６と被嵌合部２５とを嵌合させることで、アークホーン２が２連ヨーク１に仮保持されるものである。
【００２４】
さらに、耐張装置が２連耐張装置の場合について説明したが、３連耐張装置などその他の耐張装置であってもよいことは勿論である。
【符号の説明】
【００２５】
１        ２連ヨーク（ヨーク）
１ａ      取付面
１ｂ      一端縁
１３      嵌合溝（嵌合部）
２        アークホーン
２１      基端部（被嵌合部）
２２      ホーン本体
３        締結ボルト（締結手段）
４        ナット（締結手段）
【図１】
2013254571.tif 000003
【図２】
2013254571.tif 000004
【図３】
2013254571.tif 000005
【図４】
2013254571.tif 000006
【図５】
2013254571.tif 000007
【図６】
2013254571.tif 000008